(57)【要約】【課題】  進学塾や学習塾、或いは、家庭などにおける受験生や進学生などの成績向上、難関突破、合格などの祈願を好適に行える祈願用熊手を提供する。【解決手段】  祈願用熊手１０は、熊手本体１２とこの熊手本体１２に取り付けられた複数の飾り物２０を備える。飾り物２０は、松１４、鯛２２、打手の小槌２４、大判２６、小判２８、或いは、書き板札３０である。飾り物２０には勉学に関する祈願文字を表示する。祈願文字は、入学、進学、成績向上、或いは、合格に関する内容の文字である。【選択図】          図１
2006158774.tif 000002
【特許請求の範囲】
【請求項１】
熊手本体と、該熊手本体に取り付けられた複数の飾り物を備え、
前記飾り物に、勉学に関する祈願文字を表示したことを特徴とする祈願用熊手。
【請求項２】
前記飾り物は、松、鯛、内手の小槌、大判、小判、或いは、書き板札であり、前記祈願文字は、入学、進学、成績向上、或いは、受験合格に関する内容の文字であることを特徴とする請求項の祈願用熊手。
【請求項３】
前記飾り物の表面、及び／又は、側面、及び／又は、裏面に、成績向上、大願成就、難関突破、合格通知、合格証書、合格祈願、百点満点、三百点満点、五百点満点、七百点満点、或いは、千点満点の文字を表示したことを特徴とする請求項１又は請求項２の祈願用熊手。
【発明の詳細な説明】
【技術分野】
【０００１】
本発明は、進学塾や学習塾或いは家庭（勉強部屋）などの所定箇所に飾り付けられて、塾生である受験生や進学生などに受験合格や進学合格などの祈願を極めて好適に行うことができる祈願用熊手に関するものである。
【背景技術】
【０００２】
従来より縁起物として年中の福徳をかきよせる縁起物用熊手が知られている。この縁起物用熊手の熊手本体は竹で作られており、先端が熊手状に構成されることにより縁起物の熊手として知られている。この熊手本体には、松や七福神（大黒や恵比寿など）、或いは、内手の小槌などが取り付けられている他、紙やプラスチックで作られた大判、小判や千両箱或いは稲穂や書き板札など、各種の飾り物が多数飾り付けられている。これらの飾り物には商売繁盛の意味を成す、例えば小判には１両、千両箱には千両、書き板札には大入や家内安全などの文字が書かれ表示されている（特許文献１参照）。
【０００３】
一方、枕カバーの表面部に合格、必勝、開運等の文字を記載して大願成就を願うことができるものも提案されている。この枕カバーに、目標としている祈願を使用者の好みに合った形で記入することにより、就寝する直前に祈願内容を確認でき、また就寝中にでもすぐに確認できるようになっている。即ち、枕又は枕カバーに祈願内容を記入することにより、合格、必勝、開運等を就寝時や起床時に、その祈願内容が自然に視界に入って祈願達成に役に立つように構成していた（特許文献２参照）。
【０００４】
【特許文献１】実用新案登録第３０５２００５号公報
【特許文献２】特開平７−２６５１８５号公報
【発明の開示】
【発明が解決しようとする課題】
【０００５】
このように受験生や進学生などが入学時や進学時などには、後者のように受験生やその家族などが行うのが一般的であった。しかしながら、進学塾や学習塾などでは前者のように年中の福徳をかきよせる縁起物用熊手が所定位置に飾られているものの、塾生全員の成績向上、難関突破、合格などの祈願を行うことができる祈願用の熊手は存在していなかった。
【０００６】
本発明は、係る従来技術の課題を解決するために成されたものであり、進学塾や学習塾、或いは、家庭などにおける受験生や進学生などの成績向上、難関突破、合格などの祈願を好適に行える祈願用熊手を提供することを目的とする。
【課題を解決するための手段】
【０００７】
即ち、本発明の祈願用熊手は、熊手本体と、この熊手本体に取り付けられた複数の飾り物を備え、飾り物に、勉学に関する祈願文字を表示したことを特徴とする。
【０００８】
また、請求項２の発明の祈願用熊手は、上記において、飾り物は、松、鯛、内手の小槌、大判、小判、或いは、書き板札であり、祈願文字は、入学、進学、成績向上、或いは、合格に関する内容の文字であることを特徴とする。
【０００９】
また、請求項３の発明の祈願用熊手は、請求項１又は請求項２において、飾り物の表面、及び／又は、側面、及び／又は、裏面に、成績向上、大願成就、難関突破、合格通知、合格証書、合格祈願、百点満点、三百点満点、五百点満点、七百点満点、或いは、千点満点の文字を表示したことを特徴とする。
【発明の効果】
【００１０】
以上詳述した如く本発明によれば、熊手本体と、この熊手本体に取り付けられた複数の飾り物を備え、飾り物に、勉学に関する祈願文字を表示したので、例えば、請求項２の如く、飾り物は、松、鯛、打手の小槌、大判、小判、或いは、書き板札であり、祈願文字は、入学、進学、成績向上、或いは、合格に関する内容の文字であるので、進学塾や学習塾などに好適な祈願用熊手を提供することが可能となる。これにより、例えば受験生や進学生などの学力向上の祈願を好適に行うことができ、また、塾などでは受験生や進学生などの塾生全員の成績向上や難関突破、或いは、合格などの祈願を好適に行うことができるので、祈願用熊手の実用効果を大幅に向上させることができるようになるものである。
【００１１】
特に、祈願用熊手によって、酉の市（祭り）では直接関係ないと思われている受験生や進学生、一般の学生及び受験生や進学生に関係する家族や親戚などの客層を新たに酉の市に呼び込むことができる。従って、経済効果の大幅な向上を期待することができるようになるものである。
【００１２】
請求項３の発明によれば、請求項１又は請求項２において、飾り物の表面、及び／又は、側面、及び／又は、裏面に、成績向上、大願成就、難関突破、合格通知、合格証書、合格祈願、百点満点、三百点満点、五百点満点、七百点満点、或いは、千点満点の文字を表示したので、祈願用熊手のどちらの方向からでもそれらの祈願文字を視認することができる。従って、例えば祈願用熊手が飾られた箇所の周囲の受験生や進学生などに受験合格や進学合格、或いは成績向上などに好適な祈願を行うことができて、進学塾や学習塾などでの使用効果を大幅に向上させることができるようになるものである。
【発明を実施するための最良の形態】
【００１３】
本発明は、受験生や進学生などに成績向上や難関突破、或いは、合格などの祈願を好適に行える祈願用熊手を提供することを特徴とする。受験生や進学生などに成績向上や難関突破、或いは、合格などの祈願を好適に行えるようにするため祈願用熊手の飾り物に勉学に関する祈願文字を表示することにより実現した。
【実施例１】
【００１４】
次に、図面に基づき本発明の実施例を詳述する。図１は本発明の一実施例を示す祈願用熊手１０の正面図、図２は本発明の祈願用熊手１０に取り付けられた勉学に関する祈願文字を表示した飾り物２０（大判２６）の正面図、図３は本発明の祈願用熊手１０に取り付けられた勉学に関する祈願文字を表示した飾り物２０（書き板札３０）の正面図、図４は本発明の祈願用熊手１０に取り付けられた勉学に関する祈願文字を表示した飾り物２０（千両箱３２）の正面図、図５は本発明の祈願用熊手１０の要部拡大図をそれぞれ示している。
【００１５】
祈願用熊手１０は、図１に示すように熊手本体１２が竹で作られ、この熊手本体１２の先端は熊手状に形成されている。該熊手本体１２には、紙やプラスチック或いは木板等で作られた内手の小槌２４や大判２６、小判２８或いは書き板札３０や千両箱３２などの飾り物２０が複数種類取り付けられている。この場合、同一の飾り物２０も複数取り付けられている。尚、近年プラスチックは環境破壊の問題から敬遠されており、飾り物２０としては紙や木板等にて構成されている。
【００１６】
また、熊手本体１２には、松１４や鶴１６或いは鯛２２や稲穂１８などの飾り物２０が取り付けられると共に、図示しない七福神（大黒や恵比寿など）を形取ったものが取り付けられて、祈願用熊手１０を受験合格や進学合格の縁起物としての豪華さを醸し出している。尚、七福神の代わりに学問の神として尊崇されている菅原道真を形取ったものを取り付けても差し支えない。
【００１７】
そして、飾り物２０には勉学に関する祈願文字を表示している。この祈願文字としては入学、進学、成績向上、或いは、受験合格に関する内容の文字が挙げられる。即ち、受験合格に関する文字内容としては、成績向上、大願成就、難関突破、合格通知、合格証書、合格祈願、百点満点、三百点満点、五百点満点、七百点満点、或いは、千点満点などの文字が挙げられる。
【００１８】
ここで、飾り物２０を例えば大判２６、（この場合小判２８でも差し支えない）とした場合、図２に示すように大判２６の表面及び裏面（図示せず）に祈願文字として七百点満点の文字が記載されて表示される。また、図示しないが百点満点、三百点満点、五百点満点、千点満点などの文字を記載して表示しても良い。
【００１９】
この場合、満点の意味としては、例えば入試時の受験選択科目が７科目の場合、１科目を１００点満点とすると、７科目掛ける１００点で合計は７００点満点となり、その７００点満点を大判２６に記載して表示している。同様に、選択科目が１科目の場合は百点満点、選択科目が３科目の場合は三百点満点、選択科目が５科目の場合は五百点満点、受験時の選択科目が１０科目の場合は千点満点となり、それらの満点の文字が大判２６（飾り物２０）に記載され表示される。これらの異なる満点点数は、進学塾や学習塾に通う進路の異なる多数の塾生に配慮した点数表示である。
【００２０】
また、飾り物２０を、例えば書き板札３０（この場合、書き板札３０は上部に切妻構造のような木片が設けられている）とした場合、図３に示すように書き板札３０の表面及び裏面（図示せず）に祈願文字が記載されて表示される。書き板札３０に表示する祈願文字としては大願成就、或いは、図示しないが成績向上、難関突破、合格通知、合格祈願などの文字が記載されて表示される。尚、書き板札３０としては福袋（図示せず）などであっても差し支えない。尚、書き板札３０としては福袋（図示せず）などであっても差し支えない。
【００２１】
また、飾り物２０を例えば千両箱３２とした場合、図４に示すように千両箱３２の表面、及び、図示しないが裏面や側面などに祈願文字が表示される。千両箱３２に表示する祈願文字としては合格証書、或いは、学力向上（図示せず）などの文字が記載され表示される。
【００２２】
そして、前記百点満点、三百点満点、五百点満点、七百点満点、千点満点などの文字が表示された大判２６が熊手本体１２の所定位置に取り付けられる（図５に図示）。また、成績向上、難関突破、合格通知、合格祈願などの文字が表示された書き板札３０が熊手本体１２の所定位置に取り付けられる（図６に図示）。
【００２３】
上述のように構成された祈願用熊手１０が進学塾や学習塾の塾長室や各教室などの所定位置に複数個（この場合単一個であっても差し支えない）飾られる。そして、祈願用熊手１０が飾られた箇所の周囲の受験生や進学生などに受験合格や進学合格などの祈願を行うことができる。これにより、進学塾や学習塾などでの使用効果を大幅に向上することができる。
【００２４】
係る祈願用熊手１０は、熊手本体１２とこの熊手本体１２に取り付けた複数の飾り物２０を備えており、飾り物２０には勉学に関する祈願文字を表示している。そして、この飾り物２０を松１４、鯛２２、打手の小槌２４、大判２６、小判２８、或いは、書き板札３０などにて構成すると共に、祈願文字を入学、進学、成績向上、或いは、受験合格などに関する内容の文字としている。これにより、進学塾や学習塾などに好適な祈願用熊手１０を提供することが可能となる。従って、受験生や進学生などの学力向上の祈願を行うことができ、特に塾などでは塾生全員の成績向上、難関突破、合格などの祈願を行うことができて、祈願用熊手１０の実用効果を大幅に向上させることができるようになる。
【００２５】
また、酉の市（祭り）で商売繁盛用の熊手以外に、直接関係ないと思われている受験生や進学生などの学力向上の祈願を行う祈願用熊手１０を販売すれば、受験生や進学生、一般学生、及び受験生や進学生に関係する家族や親戚或いは友人などの客層を新たに取り込むことができる。従って、経済効果の大幅な向上を期待することができるようになる。
【００２６】
また、飾り物２０の表面、及び／又は、側面、及び／又は、裏面に、成績向上、大願成就、難関突破、合格通知、合格証書、合格祈願、百点満点、三百点満点、五百点満点、七百点満点、或いは、千点満点の文字を表示ているので、祈願用熊手１０のどちらの方向からでもそれらの祈願文字を視認することができる。これにより、祈願用熊手１０が飾られた箇所の周囲の受験生や進学生、及び、一般学生などに好適な受験合格や進学合格などの祈願を行うことができ、進学塾や学習塾などでの使用効果を大幅に向上することができるようになる。
【００２７】
尚、実施例では祈願文字を大判２６、小判２８、或いは、書き板札３０や千両箱３２に記載し表示たが、祈願文字はそれらに限らず、鯛２２や打手の小槌２４などに記載し表示ても本発明は有効である。また、短冊に祈願文字を書き、飾り物２０として熊手本体１２に取り付けても差し支えない。また、祈願文字を大判２６、小判２８、書き板札３０、千両箱３２、鯛２２或いは打手の小槌２４などに記載し表示したが、他の四角或いは縦長略矩形状の紙や木或いは合成樹脂などの板（図示せず）に記載し表示して、この板を熊手本体１２に取り付けても差し支えない。この場合、進学校や予備校名と受験生の指名など好みの勉学や進学に関する文字を書くことができるので、上述同様の効果を得られる他、受験生の祈願の助けになり祈願用熊手１０の利便性を更に向上させることができるようになる。
【００２８】
また、祈願用熊手１０を受験生や進学生などが勉強や学習を行う進学塾や学習塾に飾るようにしたが、祈願用熊手１０はそれらに限らず、一般家庭に飾っても実施例同様の効果を得ることができる。また、祈願用熊手１０を職業訓練学校などに飾っても実施例同様の効果を得ることができるのは言うまでもない。
【００２９】
また、飾り物２０の表面、及び／又は、側面、及び／又は、裏面に祈願文字を表示したが、祈願文字は飾り物２０の表面だけであっても差し支えない。この場合も前述同様の効果を得ることができる。
【００３０】
また、祈願文字としては大願成就、或いは、成績向上、難関突破、合格通知、合格祈願などの文字を表示するようにしたが、祈願文字は＊＊幼稚園入学、＊＊小学校入学、＊＊＊中学校入学、＊＊高校入学、＊＊大学入学などの志望校（幼稚園を含む）などの文字であっても差し支えない。この場合、前述同様の効果の他受験生や進学生の祈願目標を明確にすることができるので祈願用熊手１０の利便性を更に向上させることができるようになる。
【００３１】
また、勿論祈願用熊手１０は上記実施例のみに限定されるものではなく、この発明の趣旨を逸脱しない範囲で他の様々な変更を行っても本発明は有効である。
【図面の簡単な説明】
【００３２】
【図１】本発明の一実施例を示す祈願用熊手の正面図である。
【図２】本発明の祈願用熊手に取り付けられた勉学に関する祈願文字を表示した飾り物（大判）の正面図である。
【図３】本発明の祈願用熊手に取り付けられた勉学に関する祈願文字を表示した飾り物（書き板札）の正面図である。
【図４】本発明の祈願用熊手に取り付けられた勉学に関する祈願文字を表示した飾り物（千両箱）の正面図である。
【図５】本発明の祈願用熊手の要部拡大図である。
【図６】本発明の祈願用熊手の他の要部拡大図である。
【符号の説明】
【００３３】
１０  祈願用熊手
１２  熊手本体
１４  松
１６  鶴
１８  稲穂
２０  飾り物
２２  鯛
２４  打手の小槌
２６  大判
２８  小判
３０  書き板札
３２  千両箱
【図１】
2006158774.tif 000003
【図２】
2006158774.tif 000004
【図３】
2006158774.tif 000005
【図４】
2006158774.tif 000006
【図５】
2006158774.tif 000007
【図６】
2006158774.tif 000008